(57)【要約】【課題】住戸を呼び出す際、テンキーによって操作される数字を音声で読み上げるようにして、視聴覚障害者の機器操作の容易化を図る。【解決手段】スピーカ及びマイクからなる通話手段２３と、テンキー５とを備えたインターホン１において：前記テンキー操作時に、操作されたテンキーに対応する数字を前記スピーカから音声で出力する数字読み上げ手段１６，２５を備えている。【選択図】図１
2006287302.tif 000002
【特許請求の範囲】
【請求項１】
スピーカ及びマイクからなる通話手段と、テンキーとを備えたインターホンにおいて：
前記テンキー操作時に、操作されたテンキーに対応する数字を前記スピーカから音声で出力する数字読み上げ手段を備えたことを特徴とするインターホン。
【請求項２】
機器の操作手順を音声で行う音声ガイダンス機能を備え、該音声ガイダンス機能が操作された時に、前記数字読み上げ手段を動作させることを特徴とする請求項１記載のインターホン。
【請求項３】
前記インターホンは、集合玄関に設置されるロビーインターホンであることを特徴とする請求項１、又は、２記載のインターホン。
【請求項４】
前記数字読み上げ手段は、数字を音声で記憶した音声記憶部と、該音声記憶部で記憶された音声を音声合成して出力する音声合成部とからなることを特徴とする請求項１、２、又は、３記載のインターホン。
【請求項５】
前記テンキーの近傍に設けられている各種スイッチに点字を施したことを特徴とする請求項１、２、３、又は、４記載のインターホン。
【発明の詳細な説明】
【技術分野】
【０００１】
この発明は、マンションなどの集合住宅の集合玄関等に設置されるインターホンに関するもので、特に、視覚障害の人が容易に操作できるインターホンに関するものである。
【背景技術】
【０００２】
マンションなどの集合玄関には、ロビーインターホン（集合玄関機ともいう）が設置されている（例えば、特許文献１、参照）。
このインターホンには、テンキーの近傍に音声ガイドボタンが設けられており、訪問者が該ガイドボタンを押すと、機器の操作手順を音声でガイダンスする。
【０００３】
【特許文献１】実開平３−６５２００号
【発明の開示】
【発明が解決しようとする課題】
【０００４】
従来のインターホンは、機器の操作手順を音声ガイダンスする機能を備えているので、目の不自由な訪問者でも該音声ガイダンスに従って機器を操作することができる。ところが、前記訪問者は、テンキーが見えないので、正確にキーを押せないことがある。そのため、部屋番号（住戸番号）の入力ミスに気付かず、間違った部屋番号の住宅情報盤（居住機）を呼び出すことがある。
【０００５】
この発明は、上記事情に鑑み、住戸を呼び出す際、テンキーによって操作される数字を音声で読み上げるようにし、視覚障害者が正確に機器を操作できるようにすることを目的とする。
【課題を解決するための手段】
【０００６】
この発明は、スピーカ及びマイクからなる通話手段と、テンキーとを備えたインターホンにおいて：前記テンキー操作時に、操作されたテンキーに対応する数字を前記スピーカから音声で出力する数字読み上げ手段を備えたことを特徴とする。
【０００７】
この発明は、機器の操作説明を音声で行う音声ガイダンス機能を備え、該音声ガイダンス機能が操作された時に、前記数字読み上げ手段を動作させることを特徴とする。この発明のインターホンは、集合玄関に設置されるロビーインターホンであることを特徴とする。この発明の数字読み上げ手段は、数字を音声で記憶した音声記憶部と、該音声記憶部で記憶された音声を音声合成して出力する音声合成部とからなることを特徴とする。この発明は、テンキーの近傍に設けられている各種スイッチに点字を施したことを特徴とする。
【発明の効果】
【０００８】
この発明は、テンキー操作時に、操作されたテンキーに対応する数字を前記スピーカから音声で出力する数字読み上げ手段を備えているので、操作手順を音声でガイダンスしてくれるだけでなく、住戸を呼び出す際に操作されるテンキーの数字までも音声でスピーカから出力する。そのため、視覚障害者の方でも間違えることなく、正しい数字を選んで押すことができる。又、テンキーの近辺の各種スイッチに、その機能を示す点字を施したので、間違うことなく集合玄関機を操作することができる。
【発明を実施するための最良の形態】
【０００９】
この発明の実施の形態を図１、図２により説明する。
マンションの集合玄関には、ロビーインターホン（集合玄関機）１が設けられている。このインターホン１には、テンキー５とボタン６〜８を備えた操作部２が設けられている。ボタン６〜８は、テンキー5の近傍に設けられた各種スイッチの一例である。
【００１０】
テンキー５は、住戸を呼び出す場合の部屋番号を入力するためのもので、各キーの下部には、各数字を示す点字Ｔが施されている。ボタン６は、呼び出しボタンであり、テンキー５で住戸番号を入力した後、このボタン６を押すことにより、呼出信号が制御部１０、送受信部２１、制御装置１２を介して住宅情報盤（居住機ともいう）１４に送られる。なお、１５は、ドアホンである。
【００１１】
ボタン７は、音声ガイドボタンであり、このボタン７を押すことにより、機器の操作手順が音声でガイダンスされる。ボタン８は、取消ボタンであり、このボタン８を押すことにより、テンキーで入力した住戸番号が消去される。前記各ボタン６、７、８の下部には、各ボタンの機能に対応した点字が施されている。
【００１２】
操作部２は、制御部１０に電気的に接続されている。制御部１０には、音声記憶部１６、表示部１８、映像部２０、送受信部２１、通話部２３が連結されている。音声記憶部１６は、音声データを記憶するメッセージ部１６ａと数字部１６ｂとを備えており、０から9までの数字が音声で記憶されている。この音声記憶部１６で記憶された音声は、音声合成部２５で音声合成され、通話部２３のスピーカから出力される。前記音声記憶部１６と音声合成部２５は、いわゆる数字読み上げ手段を構成している。
【００１３】
通話手段としての通話部２３は、スピーカとマイクを備えている。該スピーカは機器の操作手順用のガイド音声若しくは住戸よりの応答音声等を出力する。マイクは住居内の居住者と通話するための音声を入力する。
【００１４】
映像部２０は、図示しない内蔵のカメラで撮像した映像信号を住宅情報盤１４若しくは管理人室親機２８に送出する。表示部１８はテンキー５で入力された居住番号をデジタル表示する。
【００１５】
この実施の形態では、目の不自由な訪問者が、例えば、部屋番号７０３号室（７階３号室）の居住者を訪問する場合、該訪問者はロビーインターホン１の操作部２の音声ガイドボタン７を押す。この時、該ボタン７の下部には点字Ｔが施されているので、該ボタン７が音声ガイダンス機能用のボタンであると容易に判別できる。
【００１６】
該ボタン７が押されると、通話部２３のスピーカから、例えば、次の様な音声案内が操作手順従って、順次流れる。
・訪問先の部屋番号を入力して下さい。
・部屋番号が正しいか確認して下さい。正しい場合は呼出キーを押して下さい。間違えている場合には、取消キーを押して下さい。
・取消キーを押して下さい。
・呼出を終了します。
【００１７】
訪問者は、音声ガイドに従って訪問先の住居番号７０３をテンキー５で入力する。そうすると、各キーを押す度に、押したキーの番号（数字）が前記数字読み上げ手段を介して通話部２３のスピーカから出力（読み上げ）されるので、正確な住居番号を入力したか否かを耳で確認するすることができる。なお、押されたテンキーに対応する数字の読み上げは、音声ガイドボタン７を押さないと、行われないようになっている。このため、オートドアの解錠用の暗証番号をテンキー５で入力するときなどは、数字が読み上げれないので、他人に暗証番号を知られるのを防止できる。
【００１８】
もし誤った番号を入力したことがわかったときには、取消ボタン８を押して、入力情報をキャンセルし、もう一度正しい住居番号をテンキー５で入力する。なお、テンキー５の下部には点字Ｔが施されているので、訪問者が容易に入力した数字を知ることができる。
【００１９】
正しい住戸番号７０３を入力した後、呼出ボタン６を押すと、呼出信号が制御部１０、送受信部２１、制御装置１２を介して７０３号室の居住機１４に送出される。該居住機では、呼出があったことをチャイムなどで報告し、図示しないモニタに訪問者の映像を映す。
【００２０】
居住機１４でハンドセットなどを持ち上げると、居住機１４と集合玄関機１間で通話が可能になる。居住機１４の図示しない「解錠ボタン」を押すと、集合玄関にあるオートドアが開放され、該訪問者が中に入ることができる。
【図面の簡単な説明】
【００２１】
【図１】本発明の実施の形態を示すブロック図である。
【図２】インターホンシステムのブロック図である。
【符号の説明】
【００２２】
１    ロビーインターホン
２    操作部
５    テンキー
６    ボタン
７    ボタン
８    ボタン
14    住宅情報盤
16    音声記憶部
25    音声合成部
【図１】
2006287302.tif 000003
【図２】
2006287302.tif 000004